(57)【特許請求の範囲】
【請求項１】
便器に設けられ、ノズルから水を噴出する衛生洗浄装置であって、
前記ノズルは、
ノズル本体部と、
前記ノズル本体部に接続されるノズルヘッド部と、
前記ノズル本体部の一端の外周一部から延出して、前記ノズルヘッド部が乗せられて前記ノズル本体部との接続箇所までスライド自在なスライド部と、
を備え、
前記ノズル本体部は筒状であり、
前記スライド部は前記ノズル本体部の中心軸よりも下方から前記ノズル本体部の中心軸の延長方向に延出し、
前記スライド部には、前記ノズルヘッド部を前記ノズル本体部に案内する案内部が設けられている、
衛生洗浄装置。
【発明の詳細な説明】
【技術分野】
【０００１】
本発明は、衛生洗浄装置に関する。
【背景技術】
【０００２】
衛生洗浄装置のノズルにおいて、衛生上、メンテナンス、及び、ノズル自体の保護の観点から、ノズルカバーあるいはノズル先端を着脱可能とし、容易に清掃、交換できることが求められている。
【０００３】
例えば特許文献１には、ノズル外面上の係合爪とノズルカバー内側に溝を有し、係合爪と内溝の周方向位置を合わせてからノズルカバーを軸方向に差し込み、周方向に回転することで係合爪を弾性変形させて固定することで、軸方向の力に対して保持状態を安定させていることが開示されている。
【先行技術文献】
【特許文献】
【０００４】
【特許文献１】特開２００９−２８７３３０号公報
【発明の概要】
【発明が解決しようとする課題】
【０００５】
しかしながら、特許文献１に記載のノズルは、ノズルカバーとノズルとが接続し始めるときである係合爪と内溝の周方向位置に合わせる際、ノズルに対してノズルカバーがずれてしまうことがあり、接続が難しかった。
【０００６】
そこで、本発明は、上述した課題を解決するためになされたものであり、ノズルが分割されている構成の場合に、分割されたノズル部品同士を容易に接続可能な衛生洗浄装置を提供することを目的の一つとしている。
【課題を解決するための手段】
【０００７】
本発明の第１態様に係る衛生洗浄装置は、便器に設けられ、ノズルから水を噴出する衛生洗浄装置であって、前記ノズルは、ノズル本体部と、前記ノズル本体部に接続されるノズルヘッド部と、前記ノズル本体部の一端の外周一部から延出して、前記ノズルヘッド部が乗せられて前記ノズル本体部との接続箇所までスライド自在なスライド部と、を備え、前記ノズル本体部は筒状であり、前記スライド部は前記ノズル本体部の中心軸よりも下方から前記ノズル本体部の中心軸の延長方向に延出し、前記スライド部には、前記ノズルヘッド部を前記ノズル本体部に案内する案内部が設けられている。
【０００８】
この構成によれば、ノズルヘッド部をノズル本体部に接続する際は、施工者等は、スライド部にノズルヘッド部を乗せて、ノズル本体部との接続箇所までスライドすることで、ノズル本体部とノズルヘッド部を接続することができる。したがって、スライド部がない場合に比べて、ノズルヘッド部をノズル本体部に接続し始めるときに、ノズルヘッド部のずれが生じることを抑制でき、もって、ノズルヘッド部とノズル本体部の接続を容易にすることができる。また、スライド部がノズル本体部の中心軸の延長方向に延出しているので、ノズル本体部の中心軸から斜めに延出している場合に比べて、スライドが容易となる。さらに、スライド部にノズルヘッド部を乗せて、ノズル本体部との接続箇所までスライドする際に、案内部があることで、ノズルヘッド部のずれが生じることを一層抑制することができる。
【発明の効果】
【００１７】
本発明の衛生洗浄装置によれば、ノズルヘッド部とノズル本体部を容易に接続することができる。
【図面の簡単な説明】
【００１８】
【図１】本発明の実施形態に係る衛生洗浄装置を備えたトイレ装置を模式的に表す斜視図である。
【図２】本発明の実施形態に係るノズルユニットを模式的に表す斜視図である。
【図３】本発明の実施形態に係るノズルを模式的に表す斜視図である。
【図４】本発明の実施形態に係るノズルの構造を説明する図である。
【発明を実施するための形態】
【００１９】
以下、添付図面を参照しながら本発明の実施の形態について説明する。
【００２０】
図１は、本実施形態に係る衛生洗浄装置３を備えたトイレ装置１を模式的に示す斜視図である。
【００２１】
図１に表したトイレ装置１は、洋式腰掛便器２と、その上に設けられた衛生洗浄装置３とを備える。衛生洗浄装置３は、ケーシング４と、便座５と、便蓋６を有する。便座５と便蓋６とは、ケーシング４に対して開閉自在にそれぞれ軸支されている。
【００２２】
ケーシング４の内部には、便座５に座った使用者のおしりなどの洗浄を実現するノズル７などが内蔵されている。また、例えば、ケーシング４には、使用者が便座５に座ったことを検知する着座検知センサー８が設けられている。
【００２３】
着座検知センサー８が便座に座った使用者を検知している場合においては、使用者が、例えば、リモコン９などの操作部を操作すると、ノズル７を洋式腰掛便器２のボウル１０内に伸出させることができる。また、ノズル７の清掃、メンテナンスを行う場合においては、着座検知センサー８が便座に座った使用者を検知していない場合においても、ノズル７をボウル１０内に伸出させることができる。なお、図１に示した衛生洗浄装置３では、ノズル７がボウル１０内に伸出した状態を表している。
【００２４】
図２は、本実施形態に係るノズルユニット１１を模式的に示す斜視図である。
【００２５】
図２に表したノズルユニット１１は、ノズル７と、ノズル７を保持する取付台１２と、モーター１３と、タイミングベルト１４と、を備える。ノズル７は、取付台１２によりガイドされ、一定の角度で伸出、収納する。なお、ノズル７は、モーター１３の回転をタイミングベルト１４によりノズル７に伝えることで、駆動する。図２（ａ）はノズル７の収納状態、図２（ｂ）はノズル７の伸出状態をそれぞれ示している。
【００２６】
図３は、本実施形態に係るノズル７を模式的に示す斜視図である。
【００２７】
図３（ａ）に示すように、ノズル７の先端部には、人体の肛門部用の吐水口１５および吐水口１６と、女性局部用の吐水口１７と、便器面噴霧用の吐水口１８と、が設けられており、使用者の局部および便器面を洗浄することができる。
【００２８】
図３（ｂ）に示すように、ノズル７は、ノズル本体部１９と、ノズルヘッド部２０に分割され、ノズルヘッド部２０は、ノズル本体部１９に対して着脱可能である。ノズル本体部１９とノズルヘッド部２０の分割ラインは周方向および軸方向からなり、軸方向の分割ラインは、ノズル７の中心軸より下方に形成され、目立ちにくく、清潔性を向上させている。
【００２９】
図４は、本実施形態に係るノズル７の構造を説明する図である。
【００３０】
図４に示すように、ノズルヘッド部２０は、ノズルヘッド２１と、ノズル本体部１９との流路を接続するパッキン２２と、ノズルヘッド２１の上部を覆う円弧状のノズルヘッドカバー２３を有する。また、ノズル本体部１９は、ノズル本体２４と、当該ノズル本体２４を覆う筒状のノズル本体カバー２５と、を備える。
【００３１】
ノズルヘッドカバー２３は、ノズル本体部１９との接続側端部の外周から延出するインロー部２６を備える。インロー部２６は、ノズル本体カバー２５の外径より径が小さく、ノズル本体カバー２５の内側に入る構造となっており、ノズル本体カバー２５とノズルヘッドカバー２３の合わせ面段差を抑制させている。また、接続箇所３６の隙間からノズル７の内部に汚水等が入り込むことを抑制できる。
【００３２】
ノズル本体カバー２５は、先端外周一部、例えば先端外周の下部より、中心軸の延長方向に延出するスライド部２７を有する。スライド部２７は、例えば、ノズル先端方向から見たときに、弧状に形成されている。ノズルヘッド部２０は、スライド部２７に乗せ、ノズル本体部１９との接続箇所３６までスライドすることで、ノズル本体部１９と接続することができる。スライド部２７には、例えば、ノズル本体部１９の内側に突出したレール状の案内部２８が設けられており、ノズルヘッド部２０はスライド部２７上をスライドする過程において、係合溝２９が、案内部２８と係合することにより、ノズル本体部１９との接続箇所３６に案内される。なお、案内部２８としてのレールは、例えば、ノズル本体部１９の中心軸に沿って真っ直ぐに形成されている。
【００３３】
ノズルヘッド部２０について、案内部２８との係合溝２９は、ノズルヘッド２１の先端側一部に備えることで、ノズルヘッド部２０がスライド部２７に乗せられた時点では、案内部２０と係合溝２９は係合しておらず、容易にスライドすることができ、その過程で案内部２０と係合溝２９とが係合することで、ノズルヘッド部２０とノズル本体部１９の位置合せを行うことができる。
【００３４】
ノズルヘッド部２０は、スライド部２７上の案内部２８に案内され、スライドする過程では、ノズル中心軸方向以外の動きが制限され、例えば、上下左右方向、回転方向へずらすことができない。また、案内部２８と係合溝２９が係合していない状態でノズルヘッド部２０をスライドさせた場合、ノズル本体部１９とノズルヘッド部２０が接続されるより前に、ノズル本体カバー２５の周縁部とノズルヘッドカバー２３の周縁部が干渉する為、接続できないことから、誤装着が防止される。
【００３５】
ノズルヘッド部２０は、ノズルヘッド２１と、ノズルヘッドカバー２３と、パッキン２２からなり、これらが一体となってノズル本体部１９に対して着脱する。
【００３６】
パッキン２２は、ノズルヘッド２１の後端部に設けられたフック３０によってノズルヘッド２１に固定され、ノズルヘッド部２０の脱時に落下及び紛失することを防ぐ。
【００３７】
ノズル本体２４は、先端外周円の上下より延出し、ノズルヘッド２１に嵌合するリブ３１を有し、ノズル本体部１９に、ノズルヘッド部２０を装着する際、パッキン２２がノズル本体部１９に嵌る以前に、案内部２８およびノズル本体部１９とノズルヘッド部２０の双方の位置決めを行う。
【００３８】
ノズルヘッド部２０のノズルヘッドカバー２３には、吐水口１５および１６、１７より噴出される水と干渉しないよう、開口３２を設ける。開口部３２は、吐水口１５および１６、１７に対して、１つの開口からなり、吐水口より噴出する水とノズルヘッドカバー２３の干渉を、高度に防止する。また、ノズルヘッドカバー２３は、ノズルヘッド部２０と一体で正面視が略円形状となるように、先端手前まで切断された形状、例えば正面視が略半円弧状に形成されている。ノズルヘッドカバー２３の先端は、スライド部２７のスライドを受け止めることができるように、正面視が略円状に形成されている。
【００３９】
ノズルヘッド部２０は、スライドという一つの操作で、フック３３が、ノズル本体部１９の突起形状３４に取り外し自在に嵌合することで、ノズル本体部１９に保持される。
【００４０】
また、ノズルヘッド部２０は、ユーザーの掃除によって、外力を受けることが想定される。例えば、ノズル７の表面の拭き掃除を行う際には、布でノズル７を握り、軸方向および回転方向に拭くことで、軸方向および回転方向の力を受けるが、これによりフック１６の嵌合が外れることはない。
【００４１】
以上の構成により、ノズルヘッド部２０をノズル本体部１９に接続する際は、施工者等は、スライド部２７にノズルヘッド部２０を乗せて、ノズル本体部１９との接続箇所３６までスライドすることで、ノズル本体部１９とノズルヘッド部２０を接続することができる。したがって、スライド部２７がない場合に比べて、ノズルヘッド部２０をノズル本体部１９に接続し始めるときに、ノズルヘッド部２０のずれが生じることを抑制でき、もって、ノズルヘッド部２０とノズル本体部１９の接続を容易にすることができる。
[変形例]
【００４２】
以上、本願の開示する技術の実施形態について説明したが、本願の開示する技術は、上記に限定されるものではない。
【００４３】
例えば、ノズル本体部１９とノズルヘッド部２０の分割ラインは、周方向および軸方向からなり、軸方向の分割ラインは、ノズル７の中心軸より下方に形成される場合を説明したが、軸方向の分割ラインは、ノズル７の中心軸より上方に形成しても良い。
【００４４】
また、ノズル本体部１９にはノズル本体カバー２５、ノズルヘッド部２０にはノズルヘッドカバー２３を有する場合を説明したが、ノズル本体カバー２５およびノズルヘッドカバー２３は、省略しても良い。また、ノズルヘッドカバー２３を有する場合において、インロー部２６を備える場合を説明したが、インロー部２６は、省略しても良い。
【００４５】
ノズル本体カバー２５を省略する場合、スライド部２７および案内部２８は、ノズル本体カバー２５で形成するのではなく、ノズル本体部１９の先端より、中心軸の延長方向に延出するように形成しても良い。
【００４６】
また、案内部２８は、ノズル本体カバー２５の一端の外周のうち下部から中心軸の延長方向に延出する場合を説明したが、案内部２８の形状および数は、上記に限らず、任意で良い。
【００４７】
また、ノズル本体部１９とノズルヘッド部２０の各流路の接続において、漏水することを防ぐ為にパッキン２２を用い、パッキン２２は、ノズルヘッド２１に固定する場合を説明したが、パッキン２２を固定する箇所は、ノズルヘッド部２０に限ることなく、ノズル本体部１９でも良い。なお、パッキン２２を固定する手段は上記に限ることなく、任意で良い。また、流路を接続する部材は、上記に限らず、任意でも良い。また、流路接続の為の部材を用いず、ノズル本体部１９とノズルヘッド部２０の流路を直接合わせ、接続しても良い。
【００４８】
また、ノズルヘッド部２０の吐水口に対する、ノズルヘッドカバー２３の開口部３２について、人体局部用吐水口が複数ある場合を説明したが、１つのみで構成されても良い。なお、吐水口および流路の数および用途は、上記の場合に限ることなく、任意でよい。
【００４９】
また、ノズルヘッド部２０の便器面噴霧用の吐水口１８は、省略しても良い。
【００５０】
前述した各実施の形態が備える各要素は、技術的に可能な限りにおいて組み合わせることができ、これらを組み合わせたものも本発明の特徴を含む限り本発明の範囲に包含される。
【符号の説明】
【００５１】
３…衛生洗浄装置
７…ノズル
１９…ノズル本体部
２０…ノズルヘッド部
２７…スライド部
２８…案内部
２９…係合溝
３６…接続箇所
【図１】
0006566377.tif 000002
【図２】
0006566377.tif 000003
【図３】
0006566377.tif 000004
【図４】
0006566377.tif 000005